(57)【特許請求の範囲】
【請求項１】
容器体の口頸部に装着して使用するシリンダ型竪型往復ポンプ１を設け、該往復ポンプのシリンダ２の下端からパイプ嵌合筒３を垂設し、該パイプ嵌合筒に吸上げパイプ４の上端を嵌合させて垂下させたポンプ式液体注出器において、上記パイプ嵌合筒３を内外二重に垂設した小径筒３ａと大径筒３ｂとから形成し、その小径筒３ａの内周には小径の吸上げパイプ４ａの上端外周を、また、その大径筒３ｂの内周には大径の吸上げパイプ４ｂの上端外周を、いずれか一方の選択にて嵌合させて垂設させることを特徴とするポンプ式液体注出器。
【発明の詳細な説明】
【０００１】
【発明の属する技術分野】
本発明は、粘度の異なる液体にも任意に使用することのできるポンプ式液体注出器に関するものである。
【０００２】
【従来の技術】
従来、容器体の口頸部に装着して使用するシリンダ型竪型往復ポンプを設け、該往復ポンプのシリンダの下端からパイプ嵌合筒を垂設し、該パイプ嵌合筒に吸上げパイプの上端を嵌合させて垂下させたポンプ式液体注出器は、既に周知である。
この種のポンプ式液体注出器では、注出する液体の粘度と吸上げパイプの径との間に一定の関連性があって、良好な注出を得るためには、低粘度の液体の場合、小径の吸上げパイプを、また、高粘度の液体の場合、大径の吸上げパイプを使用すればよいことも、既に知られている。
【０００３】
かかる観点から、本出願人は、先に、上記ポンプ式液体注出器において、小径の吸上げパイプを上記パイプ嵌合筒の内周に、また、大径の吸上げパイプをそのパイプ嵌合筒の外周に嵌合させることができるようにして、いずれか一を任意に選択するようにしたものを開発した（実公平５−４３２６９号公報）。
これによれば、吸上げパイプを選択することで、同一のポンプ式液体注出器を低粘度の液体にも高粘度の液体にも良好な注出状態で使用することができる。
【０００４】
【発明が解決しようとする課題】
しかし、長期使用において、パイプ嵌合筒の外周に嵌合させた大径の吸上げパイプにつき次のような問題点が生じた。
▲１▼  その大径の吸上げパイプの上端部が、経時変化により、伸び或いはクラックを生じて、嵌合が緩くなり、脱落することがある。
▲２▼  大径の吸上げパイプ内に止まっている流動性の悪い高粘度の液体が、気温や日照等によって膨張すると、わずかながらも吸上げパイプが膨らみ、嵌合が緩くなって、脱落することがある。このことは、吸上げパイプの上部の周りが空気層の場合にその傾向が強い。
本発明は、これらの問題点を解決しようとするものである。
【０００５】
【課題を解決するための手段】
本発明は、容器体の口頸部に装着して使用するシリンダ型竪型往復ポンプ１を設け、該往復ポンプのシリンダ２の下端からパイプ嵌合筒３を垂設し、該パイプ嵌合筒に吸上げパイプ４の上端を嵌合させて垂下させたポンプ式液体注出器において、上記パイプ嵌合筒３を内外二重に垂設した小径筒３ａと大径筒３ｂとから形成し、その小径筒３ａの内周には小径の吸上げパイプ４ａの上端外周を、また、その大径筒３ｂの内周には大径の吸上げパイプ４ｂの上端外周を、いずれか一方の選択にて嵌合させて垂設させることを特徴とする。
【０００６】
【発明の実施の形態】
図１、図２は、小径の吸上げパイプを用いた場合と大径の吸上げパイプを用いた場合の本発明に係るポンプ式液体注出器の実施の形態を示している。
図１、図２において、１は、容器体の口頸部に装着して使用するシリンダ型竪型往復ポンプ、２は、該往復ポンプのシリンダ、３は、該シリンダの下端から垂設したパイプ嵌合筒、４は、該パイプ嵌合筒に上端を嵌合させて垂下させた吸上げパイプであり、これらの部材は、合成樹脂成形したものである。
【０００７】
パイプ嵌合筒３は、シリンダ２の下端から一体に内外二重に垂設した小径筒３ａと大径筒３ｂとから成り、その小径筒３ａの内周には、小径の吸上げパイプ４ａの上端外周を、また、その大径筒３ｂの内周には、大径の吸上げパイプ４ｂの上端外周を嵌合させるものとし、いずれか一方を選択して嵌合させて垂設させる。
つまり、低粘度の液体に使用するときは、パイプ嵌合筒３の小径筒３ａの内周に小径の吸上げパイプ４ａの上端外周を嵌合させ、また、高粘度の液体に使用するときは、パイプ嵌合筒３の大径筒３ｂの内周に大径の吸上げパイプ４ｂの上端外周を嵌合させる。
これにより、低粘度、高粘度のいずれの液体の場合も、吸上げパイプ４内における流動抵抗を液体注出における良好な範囲内とすることができる。
而して、小径の吸上げパイプ４ａも、大径の吸上げパイプ４ｂも、上端外周を小径筒３ａ又は大径筒３ｂの内周に嵌合させるので、経時変化による伸びやクラックは発生せず、嵌合の緩みや脱落は生じない。また、パイプ内の液体の膨張によりパイプ上端部が膨らもうとしたときにも、ますます小径筒３ａ又は大径筒３ｂに圧接させることとなるので、脱落は生じない。
【０００８】
シリンダ型竪型往復ポンプ１は、シリンダ２の上部外周に容器体の口頸部へと装着するためのキャップ状の装着筒５を有し、シリンダ２の内側には、その下端部に吸込み弁６を設け、上方から下端部にピストン兼用吐出弁８を備えた管状プランジャ７を出入動自在に挿入するとともに、該管状プランジャをシリンダ２内下部に内装したコイルスプリング９で出方向（上方）に付勢し、更に、シリンダ２から上方へと突出する管状プランジャ７の上端に押下げノズルヘッド10を嵌合連結している。このシリンダ型竪型往復ポンプ１は、液体を収容した容器体内に、シリンダ２及び上記吸上げパイプ４したがって小径又は大径の吸上げパイプ4a，4bを口頸部から挿入し、装着筒５によりその口頸部に取り付ける。次に、その容器体内の液体を注出するときは、押下げノズルヘッド10をコイルスプリング９に抗して押し下げし、放してそのコイルスプリング９の弾力により上昇復帰させる。なお、この操作は、所望の注出量に応じて必要回数繰り返せばよい。これにより、その容器体内の液体が吸上げパイプ４したがって小径又は大径の吸上げパイプ4a，4bを通じて支障なくシリンダ２内に吸い上げられ、かつ、加圧されて、押下げノズルヘッド10のノズル11から噴出する。
【０００９】
【発明の効果】
本発明によれば、既述構成としたから、低粘度の液体の場合には、小径の吸上げパイプ4aを上端にてパイプ嵌合筒３たる小径筒3aの内周に嵌合させ、また、高粘度の液体の場合には、大径の吸上げパイプ4bを上端にてパイプ嵌合筒３たる大径筒3bの内周に嵌合させることにより、いずれの場合にも支障のない良好な液体注出を得ることができて、シリンダ型竪型往復ポンプ１を広範囲に使用できるばかりでなく、
(1) 長期使用においても、小径の吸上げパイプ4aでは勿論、大径の吸上げパイプ4bでも、上端部が伸びやクラックを生じず、嵌合が緩くなることも、脱落することもない。
(2) 大径の吸上げパイプ4bにおいて、パイプ内に止まっている流動性の悪い高粘度の液体が気温や日照等による膨張で当該吸上げパイプ4bを膨らまそうとすればするほど、パイプ嵌合筒３たる大径筒3bとの嵌合が強力になって、脱落は生じない。
(3) 構造簡単で安価に提供できる。
等の優れた効果を奏し、所期の目的を達成できる。
【図面の簡単な説明】
【図１】本発明のポンプ式液体注出器に係る実施の形態を示す小径の吸上げパイプを用いた場合の縦断側面図である。
【図２】本発明のポンプ式液体注出器に係る実施の形態を示す大径の吸上げパイプを用いた場合の縦断側面図である。
【符号の説明】
１…シリンダ型竪型往復ポンプ    ２…シリンダ
３…パイプ嵌合筒
３ａ…小径筒                      ３ｂ…大径筒
４…吸上げパイプ
４ａ…小径の吸上げパイプ          ４ｂ…大径の吸上げパイプ
５…装着筒                      ６…吸込み弁
７…管状プランジャ              ８…ピストン兼用吐出弁
９…コイルスプリング            １０…押下げノズルヘッド
１１…ノズル
【図１】
0003628813.tif 000002
【図２】
0003628813.tif 000003